(57)【要約】【課題】不要だと推定される録画予約を解除することで、無駄な電力と無駄な記録容量を使用しない録画再生装置を提供することである。【解決手段】所定条件に基づいて録画を繰り返す予約録画機能を備えた録画再生装置１０において、該予約録画機能によって録画されたタイトルが一度も再生されずに所定期間経過した場合、又は該予約録画機能によって同一の所定条件に基づいて録画された所定数のタイトルが一度も再生されていない場合、前記所定条件に基づく予約を解除する構成とする。【選択図】図１
2012134844.tif 000002
【特許請求の範囲】
【請求項１】
所定条件に基づいて録画を繰り返す予約録画機能を備えた録画再生装置において、
該予約録画機能によって録画されたタイトルが一度も再生されずに所定期間経過した場合、又は該予約録画機能によって同一の所定条件に基づいて録画された所定数のタイトルが一度も再生されていない場合、前記所定条件に基づく予約を解除することを特徴とする録画再生装置。
【請求項２】
前記予約録画機能が定期的に録画を繰り返す周期予約録画機能であり、前記所定条件が入力されたチャンネル及び周期であることを特徴とする請求項１記載の録画再生装置。
【請求項３】
前記所定条件に基づく予約を解除した後、前記所定条件に基づいて録画してあるタイトルを消去することを特徴とする請求項１又は２記載の録画再生装置。
【請求項４】
前記所定条件に基づく予約を解除した場合、次回電源がオンになったときに予約を解除した旨を報知することを特徴とする請求項１〜３の何れかに記載の録画再生装置。
【請求項５】
前記所定条件に基づく予約を解除した場合、次回該所定条件に基づいて録画してあるタイトルを再生するときに予約を解除した旨を報知することを特徴とする請求項１〜３の何れかに記載の録画再生装置。
【請求項６】
前記予約録画機能がキーワードに関連した番組を録画するキーワード予約録画機能であり、前記所定条件が入力されたキーワードであることを特徴とする請求項１記載の録画再生装置。
【発明の詳細な説明】
【技術分野】
【０００１】
本発明は、予約録画機能を備えた録画再生装置に関する。
【背景技術】
【０００２】
近年、ＤＶＤ、ＢＤ（Blu-ray Disc）等の光ディスク装置やＨＤＤ装置などの録画再生装置が普及しており、より便利に使えるように様々な機能も付加されている。特に、録画予約と録画後の管理に関しては様々な手法が提案されている。
【０００３】
例えば特許文献１には、映像情報の再生中に再生処理が中断された場合に、再生中であったコンテンツが、周期予約されているコンテンツであるかどうかを確認し、周期予約コンテンツである場合、ユーザに対して周期予約の解除を確認するメッセージを表示させる映像情報処理装置が開示されている。
【０００４】
また特許文献２には、ストリームの再生状況を利用記録として記憶する利用記録記憶部と、利用記録が所定の条件、例えば、「１日以上前に記録され、一度も再生されていないこと」を満たすストリームの時間区域を特定する削除時間区域算出部とを備え、特定されたストリームの時間区域に対応する記録情報をストリーム記憶部から消去するストリーム記録再生装置が開示されている。
【０００５】
また特許文献３には、記録しても未再生のままになっているデータが存在する場合に、メッセージ画像を出力してユーザに通知する記録再生装置が開示されている。
【０００６】
また特許文献４には、連続番組の放送終了に際しては、録画予約を自動的に解消可能な放送番組記録再生装置が開示されている。
【先行技術文献】
【特許文献】
【０００７】
【特許文献１】特開２００７−５８９０９号公報
【特許文献２】特開平１１−１５５１０２号公報
【特許文献３】特開２００７−１５１１５１号公報
【特許文献４】特開２００８−１０４２０３号公報
【発明の概要】
【発明が解決しようとする課題】
【０００８】
ところで、ドラマ等を毎週又は毎日など周期的な録画予約（周期予約）を行っている場合、自動的に録画はされるものの、途中で飽きてしまった等の理由で、ＨＤＤ等に録画した番組が再生されないまま残ってしまっていることがある。このような状況では、録画時の電力が無駄であり、ＨＤＤ等の容量も無駄に使用することになる。この状態を解消するためにはユーザは録画した番組をＨＤＤ等から消去し、その周期予約を削除する必要があった。
【０００９】
本発明は、不要だと推定される録画予約を解除することで、無駄な電力と無駄な記録容量を使用しない録画再生装置を提供することを目的とする。
【課題を解決するための手段】
【００１０】
上記目的を達成するために本発明は、所定条件に基づいて録画を繰り返す予約録画機能を備えた録画再生装置において、該予約録画機能によって録画されたタイトルが一度も再生されずに所定期間経過した場合、又は該予約録画機能によって同一の所定条件に基づいて録画された所定数のタイトルが一度も再生されていない場合、前記所定条件に基づく予約を解除することを特徴とする。
【００１１】
上記の録画再生装置において、前記予約録画機能が定期的に録画を繰り返す周期予約録画機能であり、前記所定条件が入力されたチャンネル及び周期であることが望ましい。
【００１２】
また上記の録画再生装置において、前記所定条件に基づく予約を解除した後、前記所定条件に基づいて録画してあるタイトルを消去するようにしてもよい。
【００１３】
また上記の録画再生装置において、前記所定条件に基づく予約を解除した場合、次回電源がオンになったときに予約を解除した旨を報知するようにしてもよい。
【００１４】
また上記の録画再生装置において、前記所定条件に基づく予約を解除した場合、次回該所定条件に基づいて録画してあるタイトルを再生するときに予約を解除した旨を報知するようにしてもよい。
【００１５】
また上記の録画再生装置において、前記予約録画機能がキーワードに関連した番組を録画するキーワード予約録画機能であり、前記所定条件が入力されたキーワードであってもよい。
【発明の効果】
【００１６】
本発明によると、所定条件に基づいて録画を繰り返す予約録画機能を備え、この予約録画機能によって録画されたタイトルが一度も再生されずに所定期間経過した場合、又はこの予約録画機能によって同一の所定条件に基づいて録画された所定数のタイトルが一度も再生されていない場合、この所定条件に基づく予約を解除することにより、不要だと推定される録画予約が解除されるので、録画に要する無駄な電力と無駄な記録容量を使用せずに済む。さらに、所定条件に基づく予約を解除した後、この所定条件に基づいて録画してあるタイトルを消去することにより、不要だと推定されるタイトルが消去されるので、空き容量が増える。
【図面の簡単な説明】
【００１７】
【図１】本発明のＨＤＤ一体型光ディスク装置の構成及びその周辺機器を示すブロック図である。
【図２】本発明のＨＤＤ一体型光ディスク装置における録画の管理に関する動作を示すフローチャートである。
【図３】本発明のＨＤＤ一体型光ディスク装置における録画の管理に関する動作の他の形態を示すフローチャートである。
【発明を実施するための形態】
【００１８】
以下、録画再生装置の一例として、デジタルテレビ放送を受信して録画したり、外部入力を録画したりできる、ハードディスクドライブ（ＨＤＤ）一体型光ディスク装置を用いて説明する。
【００１９】
図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。本ＨＤＤ一体型光ディスク装置１０はＢＤ（Blu-ray Disc）及びＤＶＤの録画／再生に対応している。またＨＤＤ一体型光ディスク装置１０は、リモコン１３によって操作可能である。
【００２０】
ＨＤＤ一体型光ディスク装置１０は、アンテナ１５で受信したデジタルテレビ放送信号を復調、デジタル化するチューナ１６と、チューナ１６や外部装置１２から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする映像／音声圧縮伸長部１７と、映像／音声圧縮伸長部１７から受け取った圧縮された映像／音声データをＨＤＤに記録したり、ＨＤＤに記録されたデータを再生したりするＨＤＤ記録再生部１８と、映像／音声圧縮伸長部１７から受け取った圧縮された映像／音声データを挿入されたＤＶＤ又はＢＤに記録したり、ＤＶＤ又はＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの映像信号をアナログ化し、表示装置１１へ出力する映像出力部２１と、映像／音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続されるアナログ入力の外部入力端子を有する外部Ｉ／Ｆ２５と、ＨＤＤ一体型光ディスク装置１０の各部を制御する制御部２６とを備えている。
【００２１】
また、ＨＤＤ一体型光ディスク装置１０は所定条件に基づいて録画を繰り返す予約録画機能を備え、制御部２６は、この予約録画機能によって録画されたタイトルが一度も再生されずに所定期間経過した場合、この所定条件に基づく予約を解除する制御も行う。また他の形態として、制御部２６は、この予約録画機能によって同一の所定条件に基づいて録画された所定数のタイトルが一度も再生されていない場合、この所定条件に基づく予約を解除する制御を行うようにしてもよい。以下に、これらの制御について詳しく説明する。
【００２２】
図２は、ＨＤＤ一体型光ディスク装置１０における録画の管理に関する動作を示すフローチャートである。ここではＨＤＤの録画の管理を例に説明する。まず、ステップＳ１０において、制御部２６は、所定条件に基づいて録画を繰り返す予約録画機能によって録画されたタイトルがあるか否かを判別する。この判別のために、上記の予約録画機能によって録画されたタイトルにはどの所定条件によって録画されたものであるか判別できる識別子を付しておく。この予約録画機能は、定期的に録画を繰り返す周期予約録画機能、キーワードに関連した番組を録画するキーワード予約録画機能などとすることができ、本実施形態では周期予約録画機能又はキーワード予約録画機能によって録画されたタイトルを抽出するものとする。
【００２３】
周期予約録画機能における予約（周期予約）は、一度設定された所定条件に基づいて定期的に録画を繰り返すための予約であり、所定条件としては少なくともチャンネルと時間的な周期とを含んでいる。これらの所定条件はユーザによって直接的又は間接的に入力される。直接的に入力される例としては、録画予約画面において、ユーザによってチャンネル、時間帯、周期（毎週、毎日、月曜日から金曜日等）をそれぞれ任意に入力される場合が挙げられる。間接的に入力される例としては、ユーザによってＥＰＧ（電子番組表）から録画したい番組の周期予約が選択された場合が挙げられる。ＥＰＧから周期予約された場合は、制御部２６が選択された番組のチャンネル、時間帯、番組名などに基づいて定期的（例えば毎日）にＥＰＧで検索することにより次回の予約を行う。
【００２４】
一方、キーワード予約録画機能における予約（キーワード予約）は、一度設定された所定条件に合致する番組を定期的に検索して録画を繰り返すための予約であり、所定条件としては少なくともキーワードを含んでいる。キーワードはユーザによって直接的又は選択的に入力される。直接的に入力される場合はユーザによって一文字ずつ任意の単語が入力される。選択的に入力される場合はメモリ２３に記憶されている単語一覧等からユーザの所望する単語が選択される。
【００２５】
ステップＳ１０で制御部２６が周期予約録画機能又はキーワード予約録画機能によって録画されたタイトルがあると判別した場合、ステップＳ１１へ進んで、抽出したタイトルの中で、一度も再生されずに所定期間経過したタイトルがあるか否かを判別する。所定期間としては１週間から１ヶ月程度の期間が好ましく、製造時に設定した期間であっても、ユーザが任意に設定した期間であってもよい。つまり、ステップＳ１１では録画されてから長期間一度も再生されていないタイトルを抽出する。
【００２６】
なお、ステップＳ１１の他の形態として、同一の所定条件に基づいて録画したタイトルが複数ある場合は、その中の最新のタイトルのみを対象として、一度も再生されずに所定期間経過したタイトルがあるか否かを判別するようにしてもよい。
【００２７】
ステップＳ１１で一度も再生されずに所定期間経過したタイトルがあった場合、その所定条件に基づく録画予約をユーザはもはや望んでいないと判断し、つまりその所定条件に基づく録画予約は不要だと推定し、ステップＳ１２へ進んでそのタイトルに対応した所定条件に基づく予約を解除する。ここでの解除とは、現在及び今後、当該所定条件に基づいて予約しなければ足り、当該所定条件そのものは削除してもしなくてもどちらでもよい。
【００２８】
次にステップＳ１２からステップＳ１３へ進んで、予約を解除した所定条件に基づいて録画してあるタイトルを全て消去する。ステップＳ１３はステップＳ１２の直後でなくとも、１ヶ月程度の期間が経過してから実行するようにしてもよい。これにより、予約を解除してから視聴するのに十分な時間が経過した後に解除した予約に関連するタイトルを自動で消去できる。なお、ステップＳ１３は必ずしも必要ではない。
【００２９】
このように、所定条件に基づいて録画を繰り返す予約録画機能を備え、この予約録画機能によって録画されたタイトルが一度も再生されずに所定期間経過した場合、この所定条件に基づく予約を解除することにより、不要だと推定される録画予約が解除されるので、録画に要する無駄な電力と無駄な記録容量を使用せずに済む。さらに、所定条件に基づく予約を解除した後、この所定条件に基づいて録画してあるタイトルを消去することにより、不要だと推定されるタイトルが消去されるので、空き容量が増える。
【００３０】
次に、他の形態として挙げた、同一の所定条件に基づいて録画された所定数のタイトルが一度も再生されていない場合、この所定条件に基づく予約を解除する制御について詳しく説明する。
【００３１】
図３は、ＨＤＤ一体型光ディスク装置１０における録画の管理に関する動作の他の形態を示すフローチャートである。ここではＨＤＤの録画の管理を例に説明する。ステップＳ２０は図２のステップＳ１０と同様の処理であるので説明を省略する。
【００３２】
ステップＳ２０で制御部２６が周期予約録画機能又はキーワード予約録画機能によって録画されたタイトルがあると判別した場合、ステップＳ２１へ進んで、抽出したタイトルの中に、同一の所定条件に基づいて録画された所定数のタイトルがあり、かつその所定数のタイトル全てが一度も再生されていないかを判別する。所定数としては、２つ以上であればよく、４つ程度が好ましく、製造時に設定した数であっても、ユーザが任意に設定した数であってもよい。なお、上記所定数のタイトルを、所定数の時系列で連続したタイトルと限定してもよい。
【００３３】
ステップＳ２１で同一の所定条件に基づいて録画された所定数のタイトルが一度も再生されていない場合、その所定条件に基づく録画予約をユーザはもはや望んでいないと判断し、つまりその所定条件に基づく録画予約は不要だと推定し、ステップＳ２２へ進んでその所定条件に基づく予約を解除する。ここでの解除とは、現在及び今後、当該所定条件に基づいて予約しなければ足り、当該所定条件そのものは削除してもしなくてもどちらでもよい。
【００３４】
次にステップＳ２２からステップＳ２３へ進む。ステップＳ２３は図２のステップＳ１３と同様の処理であるので説明を省略する。
【００３５】
このように、所定条件に基づいて録画を繰り返す予約録画機能を備え、この予約録画機能によって同一の所定条件に基づいて録画された所定数のタイトルが一度も再生されていない場合、この所定条件に基づく予約を解除することにより、不要だと推定される録画予約が解除されるので、録画に要する無駄な電力と無駄な記録容量を使用せずに済む。さらに、所定条件に基づく予約を解除した後、この所定条件に基づいて録画してあるタイトルを消去することにより、不要だと推定されるタイトルが消去されるので、空き容量が増える。
【００３６】
図２又は図３の処理は、ＨＤＤ一体型光ディスク装置１０の電源がオンになったとき、数時間毎、毎日１回など、適宜実行すればよい。
【００３７】
上記２つの制御は併用してもよい。つまり上記予約録画機能によって録画されたタイトルが一度も再生されずに所定期間経過した場合、又は上記予約録画機能によって同一の所定条件に基づいて録画された所定数のタイトルが一度も再生されていない場合の何れか一方が満たされれば、その所定条件に基づく予約を解除するようにしてもよい。
【００３８】
なお、所定条件に基づく予約を解除した場合、次回ＨＤＤ一体型光ディスク装置１０の電源がオンになったときに予約を解除した旨を報知してもよい。報知は、例えば「４チャンネルの毎週土曜日の１０：００−１０：３０の周期予約を解除しました。」等のメッセージを表示装置１１に表示したり、音声で知らせたりすればよい。
【００３９】
他に、所定条件に基づく予約を解除した場合、次回該所定条件に基づいて録画してあるタイトルを再生するときに予約を解除した旨を報知してもよい。
【００４０】
なお、本発明の予約を解除する機能及び録画済みタイトルを消去する機能は、ユーザがメニュー画面でそれぞれの機能のオン／オフを選択できるようにしてもよい。これにより、長期間不在の場合等は各機能をオフにすることもできる。
【００４１】
また、録画先がＨＤＤ又は書き換え可能な光ディスクの場合には本発明を適用し、録画先が書き換え不可能な光ディスクの場合には本発明を適用しないようにしてもよい。書き換え不可能な光ディスクに録画するということは、ユーザにとって重要であると推測されるからである。
【産業上の利用可能性】
【００４２】
本発明は、光ディスク装置やハードディスク装置等の録画再生装置に利用することができ、また、複数の記録再生部を１つの筐体に組み込んだ複合機、例えばＨＤＤ一体型光ディスク装置等にも利用することができ、また、１つ以上の記録再生部を組み込んだテレビ受像機にも利用することができる。
【符号の説明】
【００４３】
１０  ＨＤＤ一体型光ディスク装置（録画再生装置）
１１  表示装置
１２  外部装置
１３  リモコン
１５  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  外部Ｉ／Ｆ
２６  制御部
【図１】
2012134844.tif 000003
【図２】
2012134844.tif 000004
【図３】
2012134844.tif 000005